(57)【要約】【課題】第１フィルム原反と第２フィルム原反とをラミネート加工して１つの第３フィルム原反にまとめる場合でも、各フィルム原反の加工履歴を管理することができる履歴管理システムを提供する。【解決手段】履歴管理システムは、第１フィルム原反２３の第１印刷情報を記憶する第１印刷記憶部２４と、第１印刷索引情報を第１ＩＣタグ２５に書き込む第１印刷書込部２１と、第２フィルム原反３０の第２印刷情報を記憶する第２印刷記憶部３１と、第２印刷索引情報を第２ＩＣタグ３２に書き込む第２印刷書込部２９と、第１フィルム原反２３と第２フィルム原反３０とをラミネート加工して形成される第３フィルム原反４７のラミネート情報を記憶するラミネート記憶部４８と、第１ＩＣタグ２５及び第２ＩＣタグ３２から読み取った第１印刷索引情報及び第２印刷索引情報をラミネート索引情報と一緒に第３ＩＣタグ４９に書き込む索引情報集約部とを備える。【選択図】図１
2020109577.tif 000002
【特許請求の範囲】
【請求項１】
第１印刷装置によって印刷された帯状の第１フィルムを巻回してなる第１フィルム原反の印刷情報である第１印刷情報を記憶する第１印刷記憶部と、
前記第１印刷情報の索引情報である第１印刷索引情報を前記第１フィルム原反に付属する第１ＩＣタグに書き込む第１印刷書込部と、
第２印刷装置によって印刷された帯状の第２フィルムを巻回してなる第２フィルム原反の印刷情報である第２印刷情報を記憶する第２印刷記憶部と、
前記第２印刷情報の索引情報である第２印刷索引情報を前記第２フィルム原反に付属する第２ＩＣタグに書き込む第２印刷書込部と、
ラミネート装置によって前記第１フィルムと前記第２フィルムとをラミネート加工して形成される帯状の第３フィルムを巻回してなる第３フィルム原反のラミネート情報を記憶するラミネート記憶部と、
前記第１ＩＣタグ及び前記第２ＩＣタグからそれぞれ前記第１印刷索引情報及び前記第２印刷索引情報を読み取った後に、当該読み取った前記第１印刷索引情報及び前記第２印刷索引情報を前記ラミネート情報の索引情報であるラミネート索引情報と一緒に第３ＩＣタグに書き込む索引情報集約部と、
を備えることを特徴とする履歴管理システム。
【請求項２】
切断装置によって前記第３フィルム原反を複数の単位フィルム原反に切断するときの切断情報を記憶する切断記憶部と、
前記第３ＩＣタグから読み取った前記第１印刷索引情報、前記第２印刷索引情報、及び前記ラミネート索引情報を前記切断情報の索引情報である切断索引情報と一緒に第４ＩＣタグに書き込む切断書込部とを備えることを特徴とする請求項１に記載の履歴管理システム。
【請求項３】
前記第１印刷装置による印刷後の前記第１フィルム原反の印刷状態を第１検査装置によって検査したときの検査情報である第１検査情報を記憶する第１検査記憶部と、
前記第１検査情報の索引情報である第１検査索引情報を前記第１ＩＣタグに書き込む第１検査書込部と、
前記第２印刷装置による印刷後の前記第２フィルム原反の印刷状態を第２検査装置によって検査したときの検査情報である第２検査情報を記憶する第２検査記憶部と、
前記第２検査情報の索引情報である第２検査索引情報を前記第２ＩＣタグに書き込む第２検査書込部と、
を備え、
前記索引情報集約部は、前記第１ＩＣタグから前記第１印刷索引情報及び前記第１検査索引情報を読み取るとともに前記第２ＩＣタグから前記第２印刷索引情報及び前記第２検査索引情報を読み取った後に、前記第１印刷索引情報、前記第２印刷索引情報、前記第１検査索引情報、及び前記第２検査索引情報を前記ラミネート索引情報と一緒に前記第３ＩＣタグに書き込むことを特徴とする請求項１または請求項２に記載の履歴管理システム。
【発明の詳細な説明】
【技術分野】
【０００１】
本発明は、フィルム原反の加工履歴を管理する履歴管理システムに関する。
【背景技術】
【０００２】
従来、被加工物の履歴を管理するシステムとして、例えば特許文献１に示すようなトレーサビリティシステムが知られている。こうしたトレーサビリティシステムでは、製造工程の投入口と搬出口にそれぞれＩＣタグ読取装置を配置し、且つ工程間の移動容器にＩＣタグを取り付けて移動容器毎に固有のＩＤを付与している。そして、工程間の移動時には、ＩＣタグ読取装置によって移動容器のＩＤを読み込むと共に、工程投入時と搬出時の時間を記録して記憶装置に保存することにより、時間とＩＤとを連携させるようにしている。
【先行技術文献】
【特許文献】
【０００３】
【特許文献１】特開２００５−３４６６１４号公報
【発明の概要】
【発明が解決しようとする課題】
【０００４】
ところで、上述のようなトレーサビリティシステムでは、移動容器毎に固有のＩＤを付与することにより各工程での履歴を管理している。このため、例えば２つの移動容器を途中の工程で連結して１つにまとめる場合には、各工程での履歴の管理が困難になってしまうという問題がある。
【０００５】
本発明は、このような実情に着目してなされた。その目的は、第１フィルム原反と第２フィルム原反とをラミネート加工して１つの第３フィルム原反にまとめる場合でも、各フィルム原反の加工履歴を管理することができる履歴管理システムを提供することにある。
【課題を解決するための手段】
【０００６】
以下、上記課題を解決するための手段及びその作用効果について記載する。
上記課題を解決する履歴管理システムは、第１印刷装置によって印刷された帯状の第１フィルムを巻回してなる第１フィルム原反の印刷情報である第１印刷情報を記憶する第１印刷記憶部と、前記第１印刷情報の索引情報である第１印刷索引情報を前記第１フィルム原反に付属する第１ＩＣタグに書き込む第１印刷書込部と、第２印刷装置によって印刷された帯状の第２フィルムを巻回してなる第２フィルム原反の印刷情報である第２印刷情報を記憶する第２印刷記憶部と、前記第２印刷情報の索引情報である第２印刷索引情報を前記第２フィルム原反に付属する第２ＩＣタグに書き込む第２印刷書込部と、ラミネート装置によって前記第１フィルムと前記第２フィルムとをラミネート加工して形成される帯状の第３フィルムを巻回してなる第３フィルム原反のラミネート情報を記憶するラミネート記憶部と、前記第１ＩＣタグ及び前記第２ＩＣタグからそれぞれ前記第１印刷索引情報及び前記第２印刷索引情報を読み取った後に、当該読み取った前記第１印刷索引情報及び前記第２印刷索引情報を前記ラミネート情報の索引情報であるラミネート索引情報と一緒に第３ＩＣタグに書き込む索引情報集約部と、を備えることを要旨とする。
【０００７】
この構成によれば、第３ＩＣタグを第３フィルム原反に付属させることで、第１フィルム原反と第２フィルム原反とをラミネート加工して１つの第３フィルム原反にまとめる場合でも、各フィルム原反の加工履歴を管理することができる。
【０００８】
上記履歴管理システムは、切断装置によって前記第３フィルム原反を複数の単位フィルム原反に切断するときの切断情報を記憶する切断記憶部と、前記第３ＩＣタグから読み取った前記第１印刷索引情報、前記第２印刷索引情報、及び前記ラミネート索引情報を前記切断情報の索引情報である切断索引情報と一緒に第４ＩＣタグに書き込む切断書込部とを備えることが好ましい。
【０００９】
この構成によれば、第４ＩＣタグを単位フィルム原反と同じ数だけコピーして複数の単位フィルム原反にそれぞれ付属させることで、第３フィルム原反が複数の単位フィルム原反に切断される場合でも、各フィルム原反の加工履歴を管理することができる。
【００１０】
上記履歴管理システムは、前記第１印刷装置による印刷後の前記第１フィルム原反の印刷状態を第１検査装置によって検査したときの検査情報である第１検査情報を記憶する第１検査記憶部と、前記第１検査情報の索引情報である第１検査索引情報を前記第１ＩＣタグに書き込む第１検査書込部と、前記第２印刷装置による印刷後の前記第２フィルム原反の印刷状態を第２検査装置によって検査したときの検査情報である第２検査情報を記憶する第２検査記憶部と、前記第２検査情報の索引情報である第２検査索引情報を前記第２ＩＣタグに書き込む第２検査書込部と、を備え、前記索引情報集約部は、前記第１ＩＣタグから前記第１印刷索引情報及び前記第１検査索引情報を読み取るとともに前記第２ＩＣタグから前記第２印刷索引情報及び前記第２検査索引情報を読み取った後に、前記第１印刷索引情報、前記第２印刷索引情報、前記第１検査索引情報、及び前記第２検査索引情報を前記ラミネート索引情報と一緒に前記第３ＩＣタグに書き込むことが好ましい。
【００１１】
この構成によれば、第１フィルム原反及び第２フィルム原反の検査履歴を含む各フィルム原反の加工履歴を管理することができる。
【発明の効果】
【００１２】
本発明によれば、第１フィルム原反と第２フィルム原反とをラミネート加工して１つの第３フィルム原反にまとめる場合でも、各フィルム原反の加工履歴を管理することができる。
【図面の簡単な説明】
【００１３】
【図１】一実施形態のコンバーティングシステムの模式図。
【発明を実施するための形態】
【００１４】
以下、コンバーティングシステムの一実施形態を図面に従って説明する。
図１に示すように、コンバーティングシステム１１は、第１印刷ユニット１２と、第１検査ユニット１３と、第２印刷ユニット１４と、第２検査ユニット１５と、ラミネートユニット１６と、切断ユニット１７とを備えている。
【００１５】
第１印刷ユニット１２は、帯状の第１フィルム１８の印刷を行う第１印刷装置１９と、第１印刷装置１９に接続された第１印刷コンピュータ２０と、第１印刷コンピュータ２０に接続された第１印刷書込部２１とを備えている。第１印刷装置１９は、所謂ロールトゥロール方式の印刷装置であり、帯状の第１フィルム１８を芯材２２に巻回してなる第１フィルム原反２３の印刷をフィルム原反単位で行う。
【００１６】
第１印刷コンピュータ２０は、第１印刷記憶部２４を備えている。第１印刷記憶部２４は、第１印刷装置１９によって印刷された帯状の第１フィルム１８を芯材２２に巻回してなる第１フィルム原反２３の印刷情報である第１印刷情報を記憶する。第１印刷情報には、第１印刷装置１９によって第１フィルム１８の印刷が行われるときの各種の設定や条件などの詳細な情報が含まれている。第１印刷書込部２１は、第１印刷情報の索引情報である第１印刷索引情報を第１フィルム原反２３に付属する第１ＩＣタグ２５に書き込む。
【００１７】
第１印刷索引情報には、第１フィルム原反２３の識別番号、第１フィルム原反２３の印刷日時、第１印刷装置１９の識別番号、第１印刷装置１９によって第１フィルム原反２３の印刷を行った印刷者（例えば、社外の場合は印刷業者、社内の場合は印刷担当者）などが含まれる。
【００１８】
第２印刷ユニット１４は、帯状の第２フィルム２６の印刷を行う第２印刷装置２７と、第２印刷装置２７に接続された第２印刷コンピュータ２８と、第２印刷コンピュータ２８に接続された第２印刷書込部２９とを備えている。第２印刷装置２７は、所謂ロールトゥロール方式の印刷装置であり、帯状の第２フィルム２６を芯材２２に巻回してなる第２フィルム原反３０の印刷をフィルム原反単位で行う。
【００１９】
第２印刷コンピュータ２８は、第２印刷記憶部３１を備えている。第２印刷記憶部３１は、第２印刷装置２７によって印刷された帯状の第２フィルム２６を芯材２２に巻回してなる第２フィルム原反３０の印刷情報である第２印刷情報を記憶する。第２印刷情報には、第２印刷装置２７によって第２フィルム２６の印刷が行われるときの各種の設定や条件などの詳細な情報が含まれている。第２印刷書込部２９は、第２印刷情報の索引情報である第２印刷索引情報を第２フィルム原反３０に付属する第２ＩＣタグ３２に書き込む。
【００２０】
第２印刷索引情報には、第２フィルム原反３０の識別番号、第２フィルム原反３０の印刷日時、第２印刷装置２７の識別番号、第２印刷装置２７によって第２フィルム原反３０の印刷を行った印刷者（例えば、社外の場合は印刷業者、社内の場合は印刷担当者）などが含まれる。
【００２１】
第１検査ユニット１３は、第１印刷装置１９による印刷後の第１フィルム原反２３の印刷状態を検査する第１検査装置３３と、第１検査装置３３に接続された第１検査コンピュータ３４と、第１検査コンピュータ３４に接続された第１検査書込部３５とを備えている。第１検査装置３３は、第１フィルム原反２３の印刷状態を撮像するラインスキャンカメラを備えており、ラインスキャンカメラによって撮像した画像に基づいて第１フィルム原反２３の印刷状態を検査する。
【００２２】
第１検査コンピュータ３４は、第１検査記憶部３６を備えている。第１検査記憶部３６は、第１印刷装置１９による印刷後の第１フィルム原反２３の印刷状態を第１検査装置３３によって検査したときの検査情報である第１検査情報を記憶する。第１検査情報には、第１検査装置３３によって第１フィルム１８の検査が行われるときの各種の設定や条件などの詳細な情報が含まれている。
【００２３】
第１検査書込部３５は、第１検査情報の索引情報である第１検査索引情報を第１ＩＣタグ２５に書き込む。第１検査索引情報には、第１フィルム原反２３の識別番号、第１フィルム原反２３の検査日時、第１検査装置３３の識別番号、第１検査装置３３によって第１フィルム原反２３の検査を行った担当者（例えば、社外の場合は検査業者、社内の場合は検査担当者）などが含まれる。
【００２４】
第２検査ユニット１５は、第２印刷装置２７による印刷後の第２フィルム原反３０の印刷状態を検査する第２検査装置３７と、第２検査装置３７に接続された第２検査コンピュータ３８と、第２検査コンピュータ３８に接続された第２検査書込部３９とを備えている。第２検査装置３７は、第２フィルム原反３０の印刷状態を撮像するラインスキャンカメラを備えており、ラインスキャンカメラによって撮像した画像に基づいて第２フィルム原反３０の印刷状態を検査する。
【００２５】
第２検査コンピュータ３８は、第２検査記憶部４０を備えている。第２検査記憶部４０は、第２印刷装置２７による印刷後の第２フィルム原反３０の印刷状態を第２検査装置３７によって検査したときの検査情報である第２検査情報を記憶する。第２検査情報には、第２検査装置３７によって第２フィルム２６の検査が行われるときの各種の設定や条件などの詳細な情報が含まれている。
【００２６】
第２検査書込部３９は、第２検査情報の索引情報である第２検査索引情報を第２ＩＣタグ３２に書き込む。第２検査索引情報には、第２フィルム原反３０の識別番号、第２フィルム原反３０の検査日時、第２検査装置３７の識別番号、第２検査装置３７によって第２フィルム原反３０の検査を行った担当者（例えば、社外の場合は検査業者、社内の場合は検査担当者）などが含まれる。
【００２７】
ラミネートユニット１６は、ラミネート装置４１と、ラミネート装置４１に接続されたラミネートコンピュータ４２と、ラミネートコンピュータ４２にそれぞれ接続された第１ラミネート読取部４３、第２ラミネート読取部４４、及びラミネート書込部４５とを備えている。
【００２８】
ラミネート装置４１は、第１検査装置３３によって検査された後の第１フィルム１８と第２検査装置３７によって検査された後の第２フィルム２６とをラミネート加工（貼り合わせ加工）して帯状の第３フィルム４６を形成し、この形成された第３フィルム４６を芯材２２に巻回して第３フィルム原反４７を形成する。
【００２９】
ラミネートコンピュータ４２は、ラミネート記憶部４８を備えている。ラミネート記憶部４８は、ラミネート装置４１によって形成される帯状の第３フィルム４６を芯材２２に巻回してなる第３フィルム原反４７のラミネート情報を記憶する。ラミネート情報には、ラミネート装置４１によって第１フィルム１８と第２フィルム２６とのラミネート加工が行われるときの各種の設定や条件などの詳細な情報が含まれている。
【００３０】
第１ラミネート読取部４３は、第１ＩＣタグ２５から第１印刷索引情報及び第１検査索引情報を読み取る。第２ラミネート読取部４４は、第２ＩＣタグ３２から第２印刷索引情報及び第２検査索引情報を読み取る。
【００３１】
ラミネート書込部４５は、第１ラミネート読取部４３によって第１ＩＣタグ２５から読み取られた第１印刷索引情報及び第１検査索引情報と、第２ラミネート読取部４４によって第２ＩＣタグ３２から読み取られた第２印刷索引情報及び第２検査索引情報と、をラミネート情報の索引情報であるラミネート索引情報と一緒に第３フィルム原反４７に付属させるための第３ＩＣタグ４９に書き込む。
【００３２】
ラミネート索引情報には、第３フィルム原反４７の識別番号、第３フィルム原反４７の製造日時、ラミネート装置４１の識別番号、ラミネート装置４１によって第３フィルム原反４７の製造を行った担当者（例えば、社外の場合はラミネート加工業者、社内の場合はラミネート加工担当者）などが含まれる。なお、本実施形態では、第１ラミネート読取部４３、第２ラミネート読取部４４、及びラミネート書込部４５によって索引情報集約部が構成されている。
【００３３】
切断ユニット１７は、切断装置５０と、切断装置５０に接続された切断コンピュータ５１と、切断コンピュータ５１にそれぞれ接続された切断読取部５２及び切断書込部５３とを備えている。切断装置５０は、第３フィルム原反４７を複数の単位フィルム原反５４に切断する。
【００３４】
切断コンピュータ５１は、切断記憶部５５を備えている。切断記憶部５５は、切断装置５０によって第３フィルム原反４７を複数の単位フィルム原反５４に切断するときの切断情報を記憶する。切断情報には、切断装置５０によって第３フィルム原反４７が複数の単位フィルム原反５４に切断されるときの各種の設定や条件などの詳細な情報が含まれている。
【００３５】
切断読取部５２は、第３ＩＣタグ４９から、第１印刷索引情報、第１検査索引情報、第２印刷索引情報、第２検査索引情報、及びラミネート索引情報を読み取る。切断書込部５３は、切断読取部５２によって第３ＩＣタグ４９から読み取った第１印刷索引情報、第１検査索引情報、第２印刷索引情報、第２検査索引情報、及びラミネート索引情報を、切断情報の索引情報である切断索引情報と一緒に複数の単位フィルム原反５４にそれぞれ付属させるための複数の第４ＩＣタグ５６に順次に書き込む。
【００３６】
切断索引情報には、各単位フィルム原反５４の識別番号、各単位フィルム原反５４の製造日時、切断装置５０の識別番号、切断装置５０によって第３フィルム原反４７の切断を行って各単位フィルム原反５４を製造した担当者（例えば、社外の場合は切断加工業者、社内の場合は切断加工担当者）などが含まれる。
【００３７】
なお、本実施形態では、第１印刷書込部２１、第１印刷コンピュータ２０、第１検査書込部３５、第１検査コンピュータ３４、第２印刷書込部２９、第２印刷コンピュータ２８、第２検査書込部３９、第２検査コンピュータ３８、第１ラミネート読取部４３、第２ラミネート読取部４４、ラミネートコンピュータ４２、ラミネート書込部４５、切断読取部５２、切断コンピュータ５１、及び切断書込部５３により、コンバーティングシステム１１によって製造される製品である単位フィルム原反５４の加工履歴を管理する履歴管理システムが構成されている。
【００３８】
また、本実施形態では、第１ＩＣタグ２５、第２ＩＣタグ３２、第３ＩＣタグ４９、及び第４ＩＣタグ５６がそれぞれＩＣカードによって構成されている。また、本実施形態では、第１印刷書込部２１、第１検査書込部３５、第２印刷書込部２９、第２検査書込部３９、ラミネート書込部４５、及び切断書込部５３がそれぞれＩＣカードライターによって構成されている。また、本実施形態では、第１ラミネート読取部４３、第２ラミネート読取部４４、及び切断読取部５２がそれぞれＩＣカードリーダーによって構成されている。
【００３９】
次に、コンバーティングシステム１１によって単位フィルム原反５４を製造する際の作用について説明する。
図１に示すように、コンバーティングシステム１１によって単位フィルム原反５４を製造する場合には、まず、第１印刷装置１９によって第１フィルム原反２３の印刷を行う。このとき、第１フィルム原反２３の第１印刷情報は、第１印刷記憶部２４に記憶される。そして、第１ＩＣタグ２５には、第１印刷書込部２１によって第１印刷索引情報を書き込む。
【００４０】
続いて、第１印刷装置１９による印刷後の第１フィルム原反２３の印刷状態を第１検査装置３３によって検査する。このとき、第１フィルム原反２３の第１検査情報は、第１検査記憶部３６に記憶される。そして、第１ＩＣタグ２５には、第１検査書込部３５によって第１検査索引情報を書き込む。
【００４１】
続いて、第２印刷装置２７によって第２フィルム原反３０の印刷を行う。このとき、第２フィルム原反３０の第２印刷情報は、第２印刷記憶部３１に記憶される。そして、第２ＩＣタグ３２には、第２印刷書込部２９によって第２印刷索引情報を書き込む。続いて、第２印刷装置２７による印刷後の第２フィルム原反３０の印刷状態を第２検査装置３７によって検査する。このとき、第２フィルム原反３０の第２検査情報は、第２検査記憶部４０に記憶される。そして、第２ＩＣタグ３２には、第２検査書込部３９によって第２検査索引情報を書き込む。
【００４２】
続いて、第１検査装置３３による検査後の第１フィルム原反２３と第２検査装置３７による検査後の第２フィルム原反３０とをラミネート装置４１によって貼り合わせて（ラミネート加工して）第３フィルム原反４７を形成する。このとき、第３フィルム原反４７のラミネート情報は、ラミネート記憶部４８に記憶される。そして、第１ラミネート読取部４３によって第１ＩＣタグ２５から第１印刷索引情報及び第１検査索引情報を読み取るとともに、第２ラミネート読取部４４によって第２ＩＣタグ３２から第２印刷索引情報及び第２検査索引情報を読み取る。
【００４３】
その後、上述のように第１ラミネート読取部４３及び第２ラミネート読取部４４によって読み取られた第１印刷索引情報、第１検査索引情報、第２印刷索引情報、及び第２検査索引情報を、ラミネート書込部４５によってラミネート索引情報と一緒に第３ＩＣタグ４９に書き込む。これにより、第１ＩＣタグ２５の情報及び第２ＩＣタグ３２の情報は第３ＩＣタグ４９に引き継がれるので、第１ＩＣタグ２５及び第２ＩＣタグ３２は不要となる。不要となった第１ＩＣタグ２５及び第２ＩＣタグ３２は、書き込まれた情報を全て消去して再利用する。第３ＩＣタグ４９は、第３フィルム原反４７に付属させる。
【００４４】
続いて、切断装置５０によって第３フィルム原反４７を複数の単位フィルム原反５４に切断する。このときの切断情報は、切断記憶部５５に記憶される。そして、切断読取部５２によって第３ＩＣタグ４９から第１印刷索引情報、第１検査索引情報、第２印刷索引情報、第２検査索引情報、及びラミネート索引情報を読み取る。その後、上述のように切断読取部５２によって読み取られた第１印刷索引情報、第１検査索引情報、第２印刷索引情報、第２検査索引情報、及びラミネート索引情報を、切断書込部５３によって切断索引情報と一緒に第４ＩＣタグ５６に書き込む。
【００４５】
この場合、単位フィルム原反５４と同じ数だけ第４ＩＣタグ５６を用意し、複数の第４ＩＣタグ５６には同じ第３フィルム原反４７を切断して形成したことが分かるように枝番を順次に付与する。これにより、第３ＩＣタグ４９の情報は複数の第４ＩＣタグ５６に引き継がれるので、第３ＩＣタグ４９は不要となる。不要となった第３ＩＣタグ４９は、書き込まれた情報を全て消去して再利用する。複数の第４ＩＣタグ５６は、複数の単位フィルム原反５４にそれぞれ付属させる。その後、各単位フィルム原反５４は、第４ＩＣタグ５６とセットにして出荷先に出荷する。
【００４６】
そして、例えば、各単位フィルム原反５４の出荷後に出荷先で或る単位フィルム原反５４の不具合が発見された場合には、当該単位フィルム原反５４に付属する第４ＩＣタグ５６の情報を基に当該単位フィルム原反５４の加工履歴を追うことができる。具体的には、第１印刷コンピュータ２０、第１検査コンピュータ３４、第２印刷コンピュータ２８、第２検査コンピュータ３８、ラミネートコンピュータ４２、及び切断コンピュータ５１をインターネットに接続する。さらに、インターネットに接続可能な携帯端末（例えば、タブレット型端末）を用意し、当該携帯端末に第４ＩＣタグ５６の情報を読み取り可能なＩＣカードリーダーを接続する。
【００４７】
このようにすれば、携帯端末から第４ＩＣタグ５６の情報を基に不具合が発見された単位フィルム原反５４の詳細な加工履歴（第１印刷情報、第２印刷情報、第１検査情報、第２検査情報、ラミネート情報、及び切断情報）を入手することができる。このため、単位フィルム原反５４の不具合の発生の原因究明に貢献できる。
【００４８】
以上詳述した実施形態によれば、次のような効果が発揮される。
（１）履歴管理システムは、第１ＩＣタグ２５及び第２ＩＣタグ３２から第１印刷索引情報、第１検査索引情報、第２印刷索引情報、及び第２検査索引情報を読み取った後に、当該読み取った第１印刷索引情報、第１検査索引情報、第２印刷索引情報、及び第２検査索引情報をラミネート索引情報と一緒に第３ＩＣタグ４９に書き込む索引情報集約部（第１ラミネート読取部４３、第２ラミネート読取部４４、及びラミネート書込部４５）を備えている。この構成によれば、第３ＩＣタグ４９を第３フィルム原反４７に付属させることで、第１フィルム原反２３と第２フィルム原反３０とをラミネート加工して１つの第３フィルム原反４７にまとめる場合でも、各フィルム原反２３，３０，４７の加工履歴を管理することができる。
【００４９】
（２）履歴管理システムは、切断装置５０によって第３フィルム原反４７を複数の単位フィルム原反５４に切断するときの切断情報を記憶する切断記憶部５５と、第３ＩＣタグ４９から読み取った第１印刷索引情報、第１検査索引情報、第２印刷索引情報、第２検査索引情報、及びラミネート索引情報を切断索引情報と一緒に第４ＩＣタグ５６に書き込む切断書込部５３とを備えている。この構成によれば、第４ＩＣタグ５６を単位フィルム原反５４と同じ数だけコピーして複数の単位フィルム原反５４にそれぞれ付属させることで、第３フィルム原反４７が複数の単位フィルム原反５４に切断される場合でも、各フィルム原反２３，３０，４７，５４の加工履歴を管理することができる。
【００５０】
（変更例）
なお、上記実施形態は次のように変更してもよい。
・第１検査ユニット１３及び第２検査ユニット１５のうちの少なくとも一方を省略してもよい。
【００５１】
・第１検査書込部３５及び第１検査コンピュータ３４と、第２検査書込部３９及び第２検査コンピュータ３８と、のうち少なくとも一方を省略してもよい。
・切断ユニット１７は省略してもよい。
【００５２】
・切断読取部５２、切断コンピュータ５１、及び切断書込部５３は省略してもよい。
・本発明の趣旨からは外れるが、第２フィルム原反３０を何も印刷されていない無地のフィルム原反に変更し、当該無地のフィルム原反の無地のフィルムと第１フィルム１８とをラミネート装置４１によってラミネート加工するようにしてもよい。この場合、第２印刷ユニット１４及び第２検査ユニット１５は省略できる。
【符号の説明】
【００５３】
１１…コンバーティングシステム、１２…第１印刷ユニット、１３…第１検査ユニット、１４…第２印刷ユニット、１５…第２検査ユニット、１６…ラミネートユニット、１７…切断ユニット、１８…第１フィルム、１９…第１印刷装置、２０…第１印刷コンピュータ、２１…第１印刷書込部、２２…芯材、２３…第１フィルム原反、２４…第１印刷記憶部、２５…第１ＩＣタグ、２６…第２フィルム、２７…第２印刷装置、２８…第２印刷コンピュータ、２９…第２印刷書込部、３０…第２フィルム原反、３１…第２印刷記憶部、３２…第２ＩＣタグ、３３…第１検査装置、３４…第１検査コンピュータ、３５…第１検査書込部、３６…第１検査記憶部、３７…第２検査装置、３８…第２検査コンピュータ、３９…第２検査書込部、４０…第２検査記憶部、４１…ラミネート装置、４２…ラミネートコンピュータ、４３…索引情報集約部を構成する第１ラミネート読取部、４４…索引情報集約部を構成する第２ラミネート読取部、４５…索引情報集約部を構成するラミネート書込部、４６…第３フィルム、４７…第３フィルム原反、４８…ラミネート記憶部、４９…第３ＩＣタグ、５０…切断装置、５１…切断コンピュータ、５２…切断読取部、５３…切断書込部、５４…単位フィルム原反、５５…切断記憶部、５６…第４ＩＣタグ。
【図１】
2020109577.tif 000003